(57)【要約】【課題】画像データから抽出した複数の宛先情報を、所定の順序で各記録紙に記録させることができる情報処理装置を提供する。【解決手段】当該装置は、各々が配送物の宛先を表す複数の宛先画像が記録された宛先原稿を読み取らせることによって、複数の宛先画像データを含む画像データを取得する取得手段（Ｓ１２）と、宛先原稿の予め定められた位置に記録されたキー情報を画像データから抽出する抽出手段（Ｓ１３）と、キー情報に基づいて複数の宛先画像データそれぞれを第１グループ又は第２グループに分類する分類手段（Ｓ１５）と、第１グループに属する宛先画像データ、第２グループに属する宛先画像データの順に、当該宛先画像データで示される宛先画像を互いに異なる記録紙に記録させる記録指示を出力する出力手段（Ｓ１６、Ｓ２１）とを含む。【選択図】図２
2015126494.tif 000002
【特許請求の範囲】
【請求項１】
外部装置と通信する通信部と、
制御部と、を備えており、
前記制御部は、
各々が配送物の宛先を表す複数の宛先画像が記録された宛先原稿を読み取ることによって生成され、且つ複数の前記宛先画像それぞれを示す複数の宛先画像データを含む画像データを、前記通信部を通じて外部装置から取得する取得手段と、
前記宛先原稿の予め定められた位置に記録されたキー情報を、前記画像データから抽出する抽出手段と、
前記抽出手段によって抽出された前記キー情報に基づいて、複数の前記宛先画像データそれぞれを第１グループ又は第２グループに分類する分類手段と、
前記第１グループに属する前記宛先画像データ、前記第２グループに属する前記宛先画像データの順に、当該宛先画像データで示される前記宛先画像を互いに異なる記録紙に記録させる記録指示を、前記通信部を通じて外部装置に出力する出力手段と、を含む情報処理装置。
【請求項２】
前記宛先原稿は、宛先の郵便番号が記入される郵便番号記入領域を含み、
前記抽出手段は、複数の前記宛先画像それぞれに対応する前記郵便番号記入領域に記入された前記郵便番号を、前記キー情報として抽出し、
前記分類手段は、前記郵便番号の上位ｎ（ｎは７以下の自然数）桁が、
特定郵便番号に一致する前記宛先画像データを前記第１グループに分類し、
前記特定郵便番号と異なる前記宛先画像データを前記第２グループに分類する請求項１に記載の情報処理装置。
【請求項３】
前記取得手段は、配送物の差出人を表す差出人画像が記録された差出人原稿を読み取ることによって生成された前記差出人画像データを、前記通信部を通じて外部装置から取得し、
前記差出人原稿は、差出人の郵便番号が記入される郵便番号記入領域を含み、
前記抽出手段は、前記郵便番号記入領域に記入された前記郵便番号を前記前記特定郵便番号として、前記差出人画像データから抽出する請求項２に記載の情報処理装置。
【請求項４】
前記宛先原稿は、複数の差出人のうちの１つを特定する差出人特定情報が記入される差出人特定領域を含み、
前記抽出手段は、複数の前記宛先画像それぞれに対応する前記差出人特定領域に記入された前記差出人特定情報を、前記キー情報として抽出し、
前記分類手段は、
前記差出人特定情報が第１値である前記宛先画像データを前記第１グループに分類し、
前記差出人特定情報が第２値である前記宛先画像データを前記第２グループに分類する請求項１に記載の情報処理装置。
【請求項５】
前記出力手段は、複数の前記宛先画像と、当該宛先画像に対応づけられた前記差出人画像とを１つの記録紙に記録させる前記記録指示を、前記通信部を通じて外部装置に出力する請求項４に記載の情報処理装置。
【請求項６】
前記宛先原稿は、宛先の名前が記入される名前記入領域を含み、
前記抽出手段は、複数の前記宛先画像それぞれに対応する前記名前記入領域に記入された文字列の末尾に存在する文字を、前記キー情報として抽出し、
前記分類手段は、
前記文字が第１敬称である前記宛先画像データを前記第１グループに分類し、
前記文字が第２敬称である前記宛先画像データを前記第２グループに分類する請求項１に記載の情報処理装置。
【請求項７】
前記宛先原稿は、前記配送物の通信面に記録される通信面画像を特定する画像特定情報が記入される通信面画像特定領域を含み、
前記抽出手段は、複数の前記宛先画像それぞれに対応する前記通信面画像特定領域に記入された前記画像特定情報を、前記キー情報として抽出し、
前記分類手段は、
前記画像特定情報が第１値である前記宛先画像データを前記第１グループに分類し、
前記画像特定情報が第２値である前記宛先画像データを前記第２グループに分類する請求項１に記載の情報処理装置。
【請求項８】
前記出力手段は、複数の前記宛先画像と、当該宛先画像に対応づけられた前記通信面画像とを前記配送物に記録させる前記記録指示を、前記通信部を通じて外部装置に出力する請求項７に記載の情報処理装置。
【請求項９】
前記記録指示は、
前記第１グループに属する前記宛先画像データそれぞれで示される前記宛先画像を各記録紙に記録させる第１記録指示と、
前記第２グループに属する前記宛先画像データそれぞれで示される前記宛先画像を各記録紙に記録させる第２記録指示と、を含み、
前記出力手段は、
前記第１記録指示を前記通信部を通じて外部装置に出力し、
前記第２記録指示の送信を求める継続指示が前記通信部を通じて外部装置から取得されたことに応じて、前記第２記録指示を前記通信部を通じて外部装置に出力する請求項１から８のいずれかに記載の情報処理装置。
【請求項１０】
原稿に記録された画像を読み取って画像データを生成する読取部と、
画像を記録紙に記録する記録部と、
制御部と、を備えており、
前記制御部は、
各々が配送物の宛先を表す複数の宛先画像が記録された宛先原稿を前記読取部に読み取らせることによって、複数の前記宛先画像それぞれを示す複数の宛先画像データを含む画像データを生成させる生成手段と、
前記宛先原稿の予め定められた位置に記録されたキー情報を、前記画像データから抽出する抽出手段と、
前記抽出手段によって抽出された前記キー情報に基づいて、複数の前記宛先画像データそれぞれを第１グループ又は第２グループに分類する分類手段と、
前記第１グループに属する前記宛先画像データ、前記第２グループに属する前記宛先画像データの順に、当該宛先画像データで示される前記宛先画像を互いに異なる記録紙に対して前記記録部に記録させる記録手段と、を含む情報処理システム。
【請求項１１】
外部装置と通信する通信部を有するコンピュータによって実行可能なプログラムであって、
該プログラムは、
各々が配送物の宛先を表す複数の宛先画像が記録された宛先原稿を読み取ることによって生成され、且つ複数の前記宛先画像それぞれを示す複数の宛先画像データを含む画像データを、前記通信部を通じて外部装置から取得し、
前記宛先原稿の予め定められた位置に記録されたキー情報を、前記画像データから抽出し、
抽出された前記キー情報に基づいて、複数の前記宛先画像データそれぞれを第１グループ又は第２グループに分類し、
前記第１グループに属する前記宛先画像データ、前記第２グループに属する前記宛先画像データの順に、当該宛先画像データで示される前記宛先画像を互いに異なる記録紙に記録させる記録指示を、前記通信部を通じて外部装置に出力する処理を、前記コンピュータに実行させるプログラム。
【発明の詳細な説明】
【技術分野】
【０００１】
本発明は、外部装置から画像データを取得し、当該画像データから抽出した画像を記録紙に対して外部装置に記録させる情報処理装置に関する。
【背景技術】
【０００２】
従来より、読取装置から画像データを取得し、当該画像データから抽出した画像を記録紙に対して記録する処理を記録装置に指示するサーバ装置が知られている。例えば特許文献１には、差出人カードと、宛名カードと、差出人カード及び宛名カードを関連付ける住所録カードとに予め記入された情報を読取装置に読み取らせ、得られた画像を割り付け領域に割り付けることによって、葉書に対して宛名を記録装置に記録させる技術が提案されている。
【先行技術文献】
【特許文献】
【０００３】
【特許文献１】特開２００１−２１７９６６号公報
【発明の概要】
【発明が解決しようとする課題】
【０００４】
宛名を印刷した葉書を、宛先毎に仕分けしてから投函することが考えられる。例えば、仕分けした一方のグループの通信面には差出人が通信面に手書きのメッセージを書き込み、他方のグループにはメッセージを書き込まずに投函することが考えられる。また、例えば、市内向けと市外向けとに仕分けし、それぞれの投函口に投函することが考えられる。しかしながら、宛名を仕分けやすく印刷する構成が特許文献１には規定されていないので、ユーザには、印刷された宛名を見て、どのグループに属するかを考えながら多数の葉書を仕分ける手間が生じる。
【０００５】
本発明は、上記の事情に鑑みてなされたものであり、その目的は、画像データから抽出した複数の宛先情報を、仕分けの手間が軽減される順序で各記録紙に記録させることができる情報処理装置を提供することにある。
【課題を解決するための手段】
【０００６】
本明細書に記載の情報処理装置は、外部装置と通信する通信部と、制御部とを備える。前記制御部は、各々が配送物の宛先を表す複数の宛先画像が記録された宛先原稿を読み取ることによって生成され、且つ複数の前記宛先画像それぞれを示す複数の宛先画像データを含む画像データを、前記通信部を通じて外部装置から取得する取得手段と、前記宛先原稿の予め定められた位置に記録されたキー情報を、前記画像データから抽出する抽出手段と、前記抽出手段によって抽出された前記キー情報に基づいて、複数の前記宛先画像データそれぞれを第１グループ又は第２グループに分類する分類手段と、前記第１グループに属する前記宛先画像データ、前記第２グループに属する前記宛先画像データの順に、当該宛先画像データで示される前記宛先画像を互いに異なる記録紙に記録させる記録指示を、前記通信部を通じて外部装置に出力する出力手段とを含む。
【発明の効果】
【０００７】
本明細書に記載の情報処理装置によれば、画像データから抽出した複数の宛先情報を、仕分けの手間が軽減される順序で各記録紙に記録させることができる。
【図面の簡単な説明】
【０００８】
【図１】図１は、実施形態における情報処理システム１００の概略図である。
【図２】図２は、情報処理システム１００の動作を示すフローチャートである。
【図３】図３は、（Ａ）が宛先画像データ解析処理のフローチャート、（Ｂ）が差出人画像データ解析処理のフローチャート、（Ｃ）が宛先画像データ分類処理のフローチャートである。
【図４】図４は、宛先シート７０の一例であって、（Ａ）は宛先情報が記入される前の状態、（Ｂ）は宛先情報が記入された後の状態を示す。
【図５】図５は、差出人シート８０の一例であって、（Ａ）は差出人情報が記入される前の状態、（Ｂ）は差出人情報が記入された後の状態を示す。
【図６】図６は、宛先画像及び差出人画像が記録された葉書９１〜９３を示す図である。
【図７】図７は、プリント終了画面の一例であって、（Ａ）はステップＳ１８における表示例、（Ｂ）はステップＳ２３における表示例である。
【図８】図８は、情報処理システム１００の他の例を示す概略図である。
【発明を実施するための形態】
【０００９】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００１０】
図１は、本実施形態における情報処理システム１００の概略図である。図１に示される情報処理システム１００は、複合機１０と、情報処理装置５０とで構成されている。複合機１０及び情報処理装置５０は、通信ネットワーク１０２を介して相互に通信可能とされている。通信ネットワーク１０２の具体例は特に限定されないが、例えば、有線ＬＡＮ（Ｌｏｃａｌ  Ａｒｅａ  Ｎｅｔｗｏｒｋの略）、無線ＬＡＮ、ＷＡＮ（Ｗｉｄｅ  Ａｒｅａ  Ｎｅｔｗｏｒｋの略）、或いはこれらの組み合わせであってもよい。
【００１１】
［複合機１０］
複合機１０は、図１に示されるように、プリンタ部１１と、スキャナ部１２と、表示部２３と、操作部２４と、通信部２５と、ＣＰＵ２７と、記憶部２８と、通信バス２９とを主に備える。複合機１０を構成する各構成要素は、通信バス２９を介して相互に接続されている。複合機１０は、画像処理装置或いは外部装置の一例である。
【００１２】
プリンタ部１１は、外部装置から取得した画像データで示される画像を記録用紙に記録するプリント処理を実行する。プリンタ部１１のプリント方式は特に限定されないが、例えば、インクジェット方式や電子写真方式などの公知の方式を採用することができる。プリンタ部１１は、記録装置或いは記録部の一例である。スキャナ部１２は、記録用紙に記録されている画像を読み取って画像データを生成するスキャン処理を実行する。スキャナ部１２は、読取装置或いは読取部の一例である。また、複合機１０は、スキャナ部１２で生成された画像データで示される画像をプリンタ部１１で記録用紙に記録するコピー機能、或いはＦＡＸの送受信を行うＦＡＸ機能等をさらに有していてもよい。
【００１３】
［表示部２３］
表示部２３は、各種情報を表示する表示画面を備える。表示部２３の具体的な構成は特に限定されないが、例えば、液晶ディスプレイ（Ｌｉｑｕｉｄ  Ｃｒｙｓｔａｌ  Ｄｉｓｐｌａｙの略）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙの略）等を採用することができる。表示部２３は、表示装置の一例である。
【００１４】
［操作部２４］
操作部２４は、表示部２３の表示画面に表示されたオブジェクトを選択するユーザの操作を検知する。具体的には、操作部２４は、例えば押ボタンを有しており、押下された押ボタンに対応づけられた各種の操作信号をＣＰＵ２７へ出力する。さらに、操作部２４は、表示部２３の表示画面に重畳された膜状のタッチセンサを有していてもよい。すなわち、表示部２３がタッチパネルディスプレイとして構成されてもよい。タッチセンサには、静電容量方式、抵抗膜方式等の周知の方式を採用することができる。
【００１５】
なお、「オブジェクト」とは、ユーザが操作部２４を操作することによって選択可能な画像を指す。一例として、オブジェクトは表示部２３に表示された文字列であって、操作部２４の方向キーを押下することによってオブジェクトの１つがハイライト表示され、操作部２４の決定ボタンを押下することによってハイライト表示されたオブジェクトが選択されてもよい。他の例として、操作部２４がタッチパネルである場合のオブジェクトは表示部２３に表示されたアイコン、ボタン、リンク等であって、タップ位置に表示されたオブジェクトが選択されてもよい。
【００１６】
［通信部２５］
通信部２５は、通信ネットワーク１０２を通じて外部装置と通信を行うためのインタフェースである。すなわち、複合機１０は、通信部２５を通じて情報処理装置５０に各種データ又は各種情報を出力し、通信部２５を通じて情報処理装置５０から各種データ又は各種情報を取得する。
【００１７】
［ＣＰＵ２７］
ＣＰＵ（Ｃｅｎｔｒａｌ  Ｐｒｏｃｅｓｓｉｎｇ  Ｕｎｉｔの略）２７は、複合機１０の全体動作を制御するものである。ＣＰＵ２７は、操作部２４から出力される操作信号、及び通信部２５を通じて情報処理装置５０から取得した各種情報或いは各種データ等に基づいて、後述する各種プログラムを記憶部２８から取得して実行する。すなわち、ＣＰＵ２７及び記憶部２８は、制御部の一例を構成する。
【００１８】
［記憶部２８］
記憶部２８は、プログラム記憶領域２８Ａと、データ記憶領域２８Ｂとを有する。プログラム記憶領域２８Ａには、ＯＳ（Ｏｐｅｒａｔｉｎｇ  Ｓｙｓｔｅｍの略）３０と、画像処理プログラム３１とが格納される。なお、画像処理プログラム３１は、単一のプログラムであってもよいし、複数のプログラムの集合体であってもよい。後述する情報処理プログラム６１についても同様である。データ記憶領域２８Ｂには、画像処理プログラム３１の実行に必要なデータ或いは情報が記憶される。
【００１９】
なお、本明細書中の「データ」と「情報」とは、コンピュータによって取り扱い可能なビット或いはビット列である点において共通する。「データ」とは、各ビットが示す意味内容をコンピュータが考慮することなく取り扱えるものを指す。これに対して、「情報」とは、各ビットが示す意味内容によってコンピュータの動作が分岐するものを指す。さらに、「指示」は、送信先の装置に対して次の動作を促すための制御信号であって、情報を含んでいることもあるし、それ自体が情報としての性質を有していることもある。
【００２０】
また、「データ」及び「情報」は、形式（例えば、テキスト形式、バイナリ形式、フラグ形式等）がコンピュータ毎に変更されたとしても、同一の意味内容と認識される限り、同一のデータ及び情報として取り扱われる。例えば、「２つ」であることを示す情報が、あるコンピュータではＡＳＣＩＩコードで”０ｘ３２”というテキスト形式の情報として保持され、別のコンピュータでは二進数表記で”１０”というバイナリ形式の情報として保持されてもよい。
【００２１】
但し、上記の「データ」及び「情報」の区別は厳密なものではなく、例外的な取り扱いも許容される。例えば、データが一時的に情報として扱われてもよいし、情報が一時的にデータとして扱われてもよい。また、ある装置ではデータとして扱われるものが、他の装置では情報として扱われてもよい。さらには、データの中から情報が取り出されてもよいし、情報の中からデータが取り出されてもよい。
【００２２】
記憶部２８は、例えば、ＲＡＭ（Ｒａｎｄｏｍ  Ａｃｃｅｓｓ  Ｍｅｍｏｒｙの略）、ＲＯＭ（Ｒｅａｄ  Ｏｎｌｙ  Ｍｅｍｏｒｙの略）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙの略）、ＨＤＤ（Ｈａｒｄ  Ｄｉｓｋ  Ｄｒｉｖｅの略）、ＣＰＵ２７が備えるバッファ等、或いはそれらの組み合わせによって構成される。なお、記憶部２８は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。一方、インターネット上のサーバなどからダウンロードされるプログラムを搬送する電気信号は、ｎｏｎ−ｔｒａｎｓｉｔｏｒｙな媒体には含まれない。
【００２３】
プログラム記憶領域２８Ａに記憶されているプログラムは、ＣＰＵ２７によって実行される。しかしながら、本明細書では、ＣＰＵ２７を省略して各プログラムの動作を説明することがある。すなわち、以下の説明において、「プログラムＡが処理Ａを実行する」という趣旨の記述は、「ＣＰＵ２７がプログラムＡに記述された処理Ａを実行する」ことを指してもよい。後述する情報処理装置５０についても同様である。
【００２４】
ＯＳ３０は、複合機１０を構成するハードウェアであるプリンタ部１１、スキャナ部１２、表示部２３、操作部２４、及び通信部２５等を制御するためのＡＰＩ（Ａｐｐｌｉｃａｔｉｏｎ  Ｐｒｏｇｒａｍｍｉｎｇ  Ｉｎｔｅｒｆａｃｅの略）を提供する基本プログラムである。すなわち、上記の各プログラムは、ＯＳ３０が提供するＡＰＩを呼び出すことによって、各ハードウェアを制御する。しかしながら、本明細書では、ＯＳ３０を省略して各プログラムの動作を説明する。すなわち、以下の説明において、「プログラムＢがハードウェアＣを制御する」という趣旨の記述は、「プログラムＢがＯＳ３０のＡＰＩを通じてハードウェアＣを制御する」ことを指してもよい。後述する情報処理装置５０についても同様である。
【００２５】
［情報処理装置５０］
情報処理装置５０は、図１に示されるように、表示部５３と、操作部５４と、通信部５５と、ＣＰＵ５７と、記憶部５８と、通信バス５９とを主に備える。情報処理装置５０に含まれる表示部５３、操作部５４、通信部５５、ＣＰＵ５７、記憶部５８、及び通信バス５９は、複合機１０に含まれる表示部２３、操作部２４、通信部２５、ＣＰＵ２７、記憶部２８、及び通信バス２９と共通するので、再度の説明は省略する。情報処理装置５０は、例えば、インターネット上のサーバ装置である。
【００２６】
なお、記憶部５８のプログラム記憶領域５８Ａには、ＯＳ６０と、情報処理プログラム６１とが格納されている。また、データ記憶領域５８Ｂには、後述する宛先シート７０及び差出人シート８０のレイアウトを示すレイアウト情報が記憶されている。レイアウト情報は、宛先シート７０及び差出人シート８０に含まれる各記入領域の位置及び大きさ等を示す情報である。
【００２７】
［情報処理システム１００の動作］
図２〜図７を参照して、本実施形態における情報処理システム１００の動作を説明する。本実施形態における情報処理システム１００は、図４（Ｂ）に示される宛先シート７０及び図５（Ｂ）に示される差出人シート８０をスキャナ部１２に読み取らせ、スキャナ部１２によって生成された画像データから抽出された宛先画像及び差出人画像を図６に示される葉書９１、９２、９３に記録させる処理を実行する。葉書９１〜９３は配送物の一例であり、宛先シート７０は宛先原稿の一例であり、差出人シート８０は差出人原稿の一例である。
【００２８】
まず、複合機１０の画像処理プログラム３１は、ユーザによってスキャナ部１２にセットされた宛先シート７０及び差出人シート８０に対するスキャン処理をスキャナ部１２に実行させる（Ｓ１１）。スキャナ部１２は、例えば図４（Ｂ）に示される宛先シート７０に記録された画像を読み取って、宛先シートデータを生成する。同様に、スキャナ部１２は、例えば図５（Ｂ）に示される差出人シート８０に記録された画像を読み取って、差出人シートデータを生成する。そして、画像処理プログラム３１は、スキャナ部１２によって生成された宛先シートデータ及び差出人シートデータを、通信部２５を通じて情報処理装置５０に出力する。
【００２９】
なお、ステップＳ１１において読み取られる宛先シート７０の枚数は、１枚に限定されず、複数枚であってもよい。また、画像処理プログラム３１は、複数の宛先シート７０に記録された画像を含む１つの宛先シートデータを生成してもよいし、宛先シート７０毎に宛先シートデータを生成してもよい。差出人シート８０についても同様である。また、宛先シートデータと差出人シートデータとは、１つの画像データとして生成されてもよいし、別々の画像データとして生成されてもよい。宛先シートデータ及び差出人シートデータは、画像データの一例である。
【００３０】
図４（Ａ）に示される宛先シート７０には、複数の宛先記入領域７１、７２、７３と、差出人特定領域７４と、通信面画像特定領域７５と、複数のマーク７６、７７、７８とが含まれている。但し、宛先記入領域７１〜７３の数は、図４（Ａ）の例に限定されない。マーク７６〜７８についても同様である。
【００３１】
宛先記入領域７１〜７３は、例えば、葉書９１〜９３の宛名面に記録する宛先の情報（以下、「宛先情報」と表記する。）を記入する領域である。宛先記入領域７１は、宛先の郵便番号を記入する郵便番号記入領域７１Ａと、宛先の住所を記入する住所記入領域７１Ｂと、宛先の名前を記入する名前記入領域７１Ｃと、不使用情報を記入する不使用情報記入領域７１Ｄとを含む。不使用情報とは、宛先記入領域７１に記入された宛先情報を葉書９１の宛名面に記録しないことを示す情報である。本実施形態では、宛先記入領域７１に記入された宛先情報を使用しない場合に、「レ」の記号が不使用情報記入領域７１Ｄに記入されるものとする。
【００３２】
差出人特定領域７４は、差出人シート８０に記録される複数の差出人情報のうちの１つを特定するための情報（以下、「差出人特定情報」と表記する。）を記入する領域である。通信面画像特定領域７５は、葉書９１〜９３の通信面に記録される画像を特定するための情報（以下、「画像特定情報」と表記する）を記入する領域である。本実施形態では、「１」、「２」、「３」等の数字を差出人特定情報として用いる例を説明するが、これに限定されず、アルファベット等であってもよい。画像特定情報についても同様である。また、図４（Ａ）に示される宛先シート７０において、差出人特定領域７４に記入される差出人特定情報は、３つの宛先記入領域７１〜７３に対して共通して用いられる。しかしながら、上記の例に限定されず、宛先記入領域７１〜７３毎に差出人特定領域７４を設けてもよい。通信面画像特定領域７５についても同様である。
【００３３】
図４（Ａ）に示される郵便番号記入領域７１Ａ、住所記入領域７１Ｂ、及び名前記入領域７１Ｃは、宛先シート７０上において破線で特定されているが、各領域の特定方法はこれに限定されない。宛先記入領域７２、７３、差出人特定領域７４、及び通信面画像特定領域７５についても同様である。また、図５（Ａ）に示される差出人シート８０についても、同様である。
【００３４】
マーク７６〜７８は、当該シートが宛先シート７０であることを情報処理装置５０に認識させるためのものである。本実施形態におけるマーク７６〜７８は、黒丸である。また、本実施形態の宛先シート７０において、マーク７６は左上隅に、マーク７７は左下隅に、マーク７８は右下隅に配置されている。また、マーク７６〜７８は、宛先シート７０が傾いた状態でスキャナ部１２によって読み取られた場合に、当該傾きを補正するためのものである。マーク７６の中心位置とマーク７７の中心位置とを結ぶ仮想直線は、宛先シート７０の短手方向と一致する。一方、マーク７７の中心位置とマーク７８の中心位置とを結ぶ仮想直線は、宛先シート７０の長手方向と一致する。
【００３５】
図５（Ａ）に示される差出人シート８０には、複数の差出人記入領域８１、８２、８３と、複数のマーク８６、８７、８８とが含まれている。差出人記入領域８１〜８３は、葉書９１〜９３に記録する差出人の情報（以下、「差出人情報」と表記する。）を記入する領域である。差出人記入領域８１は、郵便番号記入領域８１Ａと、住所記入領域８１Ｂと、名前記入領域８１Ｃとを含む。なお、宛先シート７０に記入される差出人特定情報「１」、「２」、「３」は、差出人シート８０の「差出人１」、「差出人２」、「差出人３」をそれぞれ指すものとする。差出人シート８０の「差出人１」、「差出人２」、「差出人３」は、差出人特定情報として機能する。
【００３６】
マーク８６〜８８は、当該シートが差出人シート８０であることを情報処理装置５０に認識させると共に、差出人シート８０の読取時の傾きを補正するためのものである。本実施形態におけるマーク８６〜８８は、黒丸である。また、本実施形態の差出人シート８０において、マーク８６は右上隅に、マーク８７は右下隅に、マーク８８は左下隅に配置されている。さらに、マーク８６の中心位置とマーク８７の中心位置とを結ぶ仮想直線は、差出人シート８０の短手方向と一致する。一方、マーク８７の中心位置とマーク８８の中心位置とを結ぶ仮想直線は、差出人シート８０の長手方向と一致する。
【００３７】
なお、マーク７６〜７８の形状は黒丸に限定されず、宛先シート７０に記入される文字等と混同を生じない形状であればよい。マーク８６〜８８についても同様である。また、宛先シート７０におけるマーク７６〜７８の配置は、差出人シート８０におけるマーク８６〜８８の配置と異なっていれば、どのような配置であってもよい。すなわち、マーク７６〜７８、８６〜８８は、予め定められた形状であって且つ予め定められた位置に配置されていればよい。
【００３８】
画像処理プログラム３１は、例えば、宛先シート７０の出力を指示するユーザの操作が操作部２４によって検知されたことに応じて、図４（Ａ）に示される画像を記録紙に記録するプリント処理をプリンタ部１１に実行させてもよい。差出人シート８０についても同様である。なお、本明細書中の「に応じて」は、当該文字列の前に記載された条件が満たされた場合に、当該文字列の後に記載された処理が実行されることを示す。なお、処理が実行されるタイミングは、条件が満たされた後であればよく、当該条件が満たされた直後である必要は必ずしもない。
【００３９】
なお、図４（Ｂ）に示される宛先シート７０は、例えば、図４（Ａ）に示される宛先シート７０の宛先記入領域７１〜７３、差出人特定領域７４、及び通信面画像特定領域７５に、ユーザによって各種情報が記入されたものである。同様に、図５（Ｂ）に示される差出人シート８０は、例えば、図５（Ａ）に示される差出人シート８０の差出人記入領域８１〜８３に、ユーザによって差出人情報が手書きで記入されたものである。
【００４０】
情報処理装置５０の情報処理プログラム６１は、宛先シートデータ及び差出人シートデータを、通信部５５を通じて複合機１０から取得する。ステップＳ１２において画像データを取得する情報処理装置５０のＣＰＵ５７は、取得手段の一例である。次に、情報処理プログラム６１は、通信部５５を通じて複合機１０から宛先シートデータを取得したことに応じて、宛先画像データ解析処理を実行する（Ｓ１３）。宛先画像データ解析処理は、宛先シートデータに含まれる複数の宛先画像データそれぞれから各種情報を抽出する処理である。図３（Ａ）を参照して、宛先画像データ解析処理を詳細に説明する。
【００４１】
まず、情報処理プログラム６１は、宛先シートデータで示される画像の角度を補正する（Ｓ３１）。具体的には、情報処理プログラム６１は、宛先シートデータを解析することによって、マーク７６〜７８の位置を特定する。そして、情報処理プログラム６１は、マーク７６、７７の中心を通る仮想直線が上下方向を向き、マーク７７、７８の中心を通る仮想直線が左右方向を向くように、当該画像を回転させる。なお、以下の処理は、ステップＳ３１で回転された画像に対して実行される。
【００４２】
次に、情報処理プログラム６１は、データ記憶領域５８Ｂに記憶された宛先シート７０のレイアウト情報に基づいて、宛先シートデータから複数の宛先画像データを抽出する（Ｓ３２）。宛先画像データは、図４（Ｂ）に示される宛先記入領域７１〜７３それぞれの画像（以下、「宛先画像」と表記する。）を示すものである。すなわち、宛先画像とは、葉書９１〜９３の宛先を表す画像である。情報処理プログラム６１は、ステップＳ３２において、３つの宛先画像データを抽出する。
【００４３】
次に、情報処理プログラム６１は、宛先記入領域７１の宛先画像を示す宛先画像データを解析することによって、当該宛先画像に含まれる不使用情報記入領域７１Ｄを抽出する。そして、情報処理プログラム６１は、不使用情報記入領域７１Ｄが空白であることに応じて（Ｓ３３：Ｙｅｓ）、宛先記入領域７１の宛先画像に含まれる郵便番号を抽出する（Ｓ３４）。具体的には、情報処理プログラム６１は、郵便番号記入領域７１Ａに含まれる画像から、ＯＣＲ（Ｏｐｔｉｃａｌ  Ｃｈａｒａｃｔｅｒ  Ｒｅｃｏｇｎｉｔｉｏｎの略）によって、７桁の数字列を取得する。
【００４４】
また、情報処理プログラム６１は、例えばステップＳ３４と同様の方法によって、差出人特定領域７４に含まれる差出人特定情報（Ｓ３５）と、通信面画像特定領域７５に含まれる画像特定情報（Ｓ３６）とを抽出する。なお、本実施形態における差出人特定情報及び画像特定情報は、３つの宛先画像に共通して対応づけられているので、ステップＳ３５〜Ｓ３６は１回だけ実行してもよい。ステップＳ３４〜Ｓ３６において抽出した郵便番号、差出人特定情報、及び画像特定情報は、キー情報の一例である。また、ステップＳ３２〜Ｓ３６の処理を実行する情報処理装置５０のＣＰＵ５７は、抽出手段の一例である。後述するステップＳ４３、Ｓ４４についても同様である。
【００４５】
一方、情報処理プログラム６１は、不使用情報記入領域７１Ｄに「レ」が含まれていることに応じて（Ｓ３３：Ｎｏ）、当該宛先画像データを破棄する（Ｓ３７）。そして、情報処理プログラム６１は、ステップＳ３２で抽出した全ての宛先画像データに対してステップＳ３３〜Ｓ３７の処理を実行し、宛先画像データ解析処理を終了する（Ｓ３８：Ｎｏ）。
【００４６】
図２に戻って、情報処理プログラム６１は、通信部５５を通じて複合機１０から差出人シートデータを取得したことに応じて、差出人画像データ解析処理を実行する（Ｓ１４）。差出人画像データ解析処理は、差出人シートデータに含まれる複数の差出人画像データそれぞれから各種情報を抽出する処理である。図３（Ｂ）を参照して、差出人画像データ解析処理を詳細に説明する。なお、図３（Ｂ）のステップＳ４１〜Ｓ４４の具体的な処理は、図３（Ａ）のステップＳ３１、Ｓ３２、Ｓ３５、Ｓ３６と共通する。また、宛先画像データ解析処理と差出人画像データ解析処理との実行順序は図２の例に限定されず、逆順であってもよいし、並行して実行されてもよい。
【００４７】
まず、情報処理プログラム６１は、マーク８６〜８８の位置に応じて、差出人シートデータで示される画像の角度を補正する（Ｓ４１）。次に、情報処理プログラム６１は、差出人シートデータから１以上の差出人画像データを抽出する（Ｓ４２）。差出人画像データは、図５（Ｂ）に示される差出人記入領域８１〜８３それぞれの画像（以下、「差出人画像」と表記する。）を示すものである。すなわち、差出人画像とは、葉書９１〜９３の差出人を表す画像である。次に、情報処理プログラム６１は、ステップＳ４２で抽出した差出人画像それぞれから、郵便番号（Ｓ４３）及び差出人特定情報（Ｓ４４）を抽出し、差出人画像データ解析処理を終了する（Ｓ４５：Ｎｏ）。
【００４８】
図２に戻って、情報処理プログラム６１は、宛先画像データ分類処理を実行する（Ｓ１５）。宛先画像データ分類処理は、図３（Ａ）のステップＳ３２で抽出した複数の宛先画像データを、予め定められた複数のグループのいずれかに分類する処理である。ステップＳ１５の処理を実行する情報処理装置５０のＣＰＵ５７は、分類手段の一例である。図３（Ｃ）を参照して、宛先画像データ分類処理を詳細に説明する。
【００４９】
まず、情報処理プログラム６１は、ステップＳ３４で各宛先画像から抽出した郵便番号の上位３桁と、特定郵便番号の上位３桁とを比較する（Ｓ５１）。本実施形態では、差出人特定情報「１」によって特定される差出人画像、すなわち「差出人１」の差出人画像から抽出した郵便番号を、特定郵便番号とする。そして、情報処理プログラム６１は、郵便番号の上位３桁が特定郵便番号に一致する宛先画像データを（Ｓ５１：Ｙｅｓ）、第１グループに分類する（Ｓ５２）。一方、情報処理プログラム６１は、郵便番号の上位３桁が特定郵便番号と異なる宛先画像データを（Ｓ５１：Ｎｏ）、第２グループに分類する。
【００５０】
本実施形態では、ステップＳ３２で抽出した３つの宛先画像データに対して上記の処理が実行されることにより、宛先記入領域７１、７３の宛先画像データが第１グループに分類され、宛先記入領域７２の宛先画像データが第２グループに分類される。そして、情報処理プログラム６１は、全ての宛先画像データを分類したことに応じて（Ｓ５４：Ｎｏ）、宛先画像データ分類処理を終了する。
【００５１】
また、情報処理プログラム６１は、宛先画像データ及び差出人画像データのレイアウトを、葉書９１〜９３のレイアウトに合わせて変更する。具体的には、情報処理プログラム６１は、宛先記入領域７１の宛先画像を、郵便番号記入領域７１Ａを示す部分画像と、住所記入領域７１Ｂを示す部分画像と、名前記入領域７１Ｃを示す部分画像とに分割する。同様に、情報処理プログラム６１は、差出人記入領域８１の差出人画像を、郵便番号記入領域８１Ａを示す部分画像と、住所記入領域８１Ｂを示す部分画像と、名前記入領域８１Ｃを示す部分画像とに分割する。そして、情報処理プログラム６１は、必要に応じて各部分画像を拡大又は縮小し、且つ当該部分画像を予め定められたレイアウトで配置した画像を示す画像データを生成する。これにより、後述するステップＳ１７において、葉書９１に合ったレイアウトで宛先画像及び差出人画像が記録される。葉書９２、９３についても同様である。
【００５２】
図２に戻って、情報処理プログラム６１は、通信部５５を通じて複合機１０に第１記録指示を出力する（Ｓ１６）。第１記録指示は、第１グループに属する宛先画像データそれぞれで示される宛先画像と、当該宛先画像に対応づけられた差出人画像とを、葉書の宛名面に記録させる指示である。第１記録指示は、第１グループに属する宛先画像データと、各宛先画像データに対応づけられた差出人画像データと、終了フラグとを含む。第１記録指示には、レイアウト変更後の宛先画像データ及び差出人画像データが含まれる。終了フラグには、当該記録指示が最後の記録指示であることに応じて”ＯＮ”が設定され、当該記録指示が最後の記録指示でないことに応じて”ＯＦＦ”が設定される。本実施形態においては、第１記録指示の終了フラグに”ＯＦＦ”が設定される。
【００５３】
なお、第１グループに属する宛先画像データが複数ある場合において、情報処理プログラム６１は、全ての宛先画像データを含む１つの第１記録指示を出力してもよいし、宛先画像データ毎の第１記録指示を繰り返し出力してもよい。ステップＳ１６の処理を実行する情報処理装置５０のＣＰＵ５７は、出力手段の一例である。後述するステップＳ２１についても同様である。
【００５４】
複合機１０の画像処理プログラム３１は、通信部２５を通じて情報処理装置５０から第１記録指示を取得したことに応じて（Ｓ１６）、当該第１記録指示に従ったプリント処理をプリンタ部１１に実行させる（Ｓ１７）。本実施形態における画像処理プログラム３１は、図６（Ａ）に示されるように、宛先記入領域７１の宛先画像と、差出人記入領域８１の差出人画像とを、葉書９１の宛名面に対してプリンタ部１１に記録させる。また、画像処理プログラム３１は、図６（Ｃ）に示されるように、宛先記入領域７３の宛先画像と、差出人記入領域８１の差出人画像とを、葉書９３の宛名面に対してプリンタ部１１に記録させる。
【００５５】
なお、第１記録指示は、宛先画像データ及び差出人画像データに代えて、各データの所在を示す所在情報を含んでもよい。すなわち、レイアウト変更後の宛先画像データ及び差出人画像データは、情報処理装置５０のデータ記憶領域５８Ｂ或いはインターネット上のサーバ装置等に記憶されていてもよい。所在情報は、例えば、ＵＲＬ（Ｕｎｉｆｏｒｍ  Ｒｅｓｏｕｒｃｅ  Ｌｏｃａｔｏｒの略）形式であってもよい。そして、画像処理プログラム３１は、第１記録指示を取得したことに応じて、当該所在情報で示される宛先画像データ及び差出人画像データを、通信部２５を通じて取得してもよい。
【００５６】
次に、画像処理プログラム３１は、第１記録指示に従ったプリント処理が終了したことに応じて（Ｓ１７）、第１グループのプリント終了画面を表示部２３に表示させる（Ｓ１８）。図７（Ａ）は、ステップＳ１８で表示部２３に表示されるプリント終了画面の一例である。図７（Ａ）に示されるプリント終了画面は、第１グループに属する全ての宛先画像を葉書に記録したことを報知するメッセージと、「継続」ボタンと、「キャンセル」ボタンとを含む。なお、「継続」ボタン及び「キャンセル」ボタンは、終了フラグに”ＯＦＦ”が設定された記録指示に従ったプリント処理が終了した際のプリント終了画面に含まれる。
【００５７】
画像処理プログラム３１は、「継続」ボタンをタップする操作が操作部２４によって検知されたことに応じて（Ｓ１９：Ｙｅｓ）、通信部２５を通じて情報処理装置５０に継続指示を出力する（Ｓ２０）。継続指示は、次の記録指示を情報処理装置５０に送信させる指示である。すなわち、「継続」ボタンのタップは、継続指示の入力の一例である。一方、画像処理プログラム３１は、「キャンセル」ボタンをタップする操作が操作部２４によって検知されたことに応じて（Ｓ１９：Ｎｏ）、ステップＳ２０〜Ｓ２３をスキップして、図２に示される処理を終了する。
【００５８】
情報処理装置５０の情報処理プログラム６１は、通信部５５を通じて複合機１０から継続指示を取得したことに応じて（Ｓ２０）、通信部５５を通じて複合機１０に第２記録指示を出力する（Ｓ２１）。第２記録指示は、第２グループに属する宛先画像データそれぞれで示される宛先画像と、当該宛先画像に対応づけられた差出人画像とを、葉書の宛名面に記録させる指示である。第２記録指示は、第２グループに属する宛先画像データと、各宛先画像データに対応づけられた差出人画像データと、終了フラグとを含む。本実施形態における第２記録指示の終了フラグには、”ＯＮ”が設定される。
【００５９】
複合機１０の画像処理プログラム３１は、通信部２５を通じて情報処理装置５０から第２記録指示を取得したことに応じて（Ｓ２１）、当該第２記録指示に従ったプリント処理をプリンタ部１１に実行させる（Ｓ２２）。本実施形態における画像処理プログラム３１は、図６（Ｂ）に示されるように、宛先記入領域７２の宛先画像と、差出人記入領域８１の差出人画像とを、葉書９２の宛名面に対してプリンタ部１１に記録させる。
【００６０】
次に、画像処理プログラム３１は、第２記録指示に従ったプリント処理が終了したことに応じて（Ｓ２２）、第２グループのプリント終了画面を表示部２３に表示させる（Ｓ２３）。図７（Ｂ）は、ステップＳ２３で表示部２３に表示されるプリント終了画面の一例である。図７（Ｂ）に示されるプリント終了画面は、第２グループに属する全ての宛先画像を葉書に記録したことを報知するメッセージと、「ＯＫ」ボタンとを含む。なお、「ＯＫ」ボタンは、終了フラグに”ＯＮ”が設定された記録指示に従ったプリント処理が終了した際のプリント終了画面に含まれる。そして、画像処理プログラム３１は、「ＯＫ」ボタンをタップする操作が操作部２４によって検知されたことに応じて、図２に示される処理を終了する。
【００６１】
［本実施形態の作用効果］
本実施形態によれば、宛先シート７０に含まれる宛先画像のうち、第１グループに属する宛先画像が連続して葉書９１、９３に記録され、その後で第２グループに属する宛先画像が葉書９２に記録される。例えば、本実施形態のように、郵便番号の上位３桁が「差出人１」の郵便番号と一致するか否かによって宛先画像データを分類することにより、同一市内へ発送する葉書９１、９３と、市外へ発送する葉書９２とに仕分けるユーザの手間を軽減することができる。
【００６２】
また、本実施形態によれば、宛先シート７０及び差出人シート８０に手書きされた文字が葉書９１〜９３に記録されるので、個性のある葉書９１〜９３を得ることができる。さらに、名前や住所等をＯＣＲで読み取らないので、誤った宛先情報及び差出人情報が葉書９１〜９３に記録されるのを抑制することができる。
【００６３】
さらに、本実施形態によれば、第１記録指示に従ったプリント処理の後にプリント終了画面が表示部２３に表示され、「継続」ボタンがユーザにタップされることによって第２記録指示に従ったプリント処理が実行される。これにより、ユーザは、第１グループに属する宛先画像が記録された葉書９１、９３と、第２グループに属する宛先画像が記録された葉書９２との境目を明確に認識することができる。但し、本発明はこれに限定されず、情報処理装置５０の情報処理プログラム６１は、第１グループ及び第２グループに属する全ての宛先画像データと、当該宛先画像データで示される宛先画像を葉書に記録する順番を示す情報とを含む記録指示を、通信部５５を通じて複合機１０に出力してもよい。
【００６４】
なお、ステップＳ５１において比較する郵便番号の桁数が３桁に限定されないことは言うまでもない。すなわち、情報処理プログラム６１は、郵便番号の上位ｎ（ｎは７以下の自然数）桁が、特定郵便番号に一致する宛先画像データを第１グループに分類し、特定郵便番号と異なる宛先画像データを第２グループに分類すればよい。また、本実施形態では、宛先シート７０に記入された差出人特定情報によって特定される「差出人１」の郵便番号を特定郵便番号とした例を説明したが、これに限定されない。例えば、宛先シート７０に特定郵便番号を記入する領域を設けてもよい。
【００６５】
また、本実施形態では、郵便番号の上位３桁が特定郵便番号に一致するか否かによって、宛先画像データを２つのグループに分類する例を説明したが、これに限定されない。例えば、郵便番号の上位ｎ桁が一致する宛先画像データが同一のグループに属するように分類してもよい。これにより、地域毎の葉書が纏まって複合機１０から出力される。さらに、ｎ＝１とすることにより、郵便番号でソートされた複数の葉書が複合機１０から出力される。これら場合、特定郵便番号の抽出を省略することができる。
【００６６】
また、キー情報は郵便番号に限定されない。例えば、差出人特定情報をキー情報として、宛先画像データを分類してもよい。情報処理プログラム６１は、例えば、差出人情報「１」に対応づけられた宛先画像データを第１グループに分類し、差出人特定情報「２」に対応づけられた宛先画像データを第２グループに分類し、差出人特定情報「３」に対応づけられた宛先画像データを第３グループに分類してもよい。同様に、画像特定情報をキー情報として、宛先画像データを分類してもよい。これにより、宛名印刷の後に各差出人が手書きのメッセージを書き込む場合、或いは宛名印刷の後に通信面画像を印刷する場合において、仕分けの手間を軽減することができる。
【００６７】
なお、郵便番号、差出人特定情報、或いは画像特定情報等のように、宛先シート７０の予め定められた位置に存在し、且つ数字やアルファベットで構成される情報をキー情報とすることにより、ＯＣＲによる誤認率を低下させることができる。但し、キー情報の例はこれらに限定されない。例えば、宛先画像に含まれる名前の末尾に付された敬称をキー情報として、宛先画像データを分類してもよい。すなわち、情報処理プログラム６１は、名前記入領域に含まれる文字列の末尾の文字が、「様」である宛先画像データを第１グループに分類し、「先生」である宛先画像データを第２グループに分類し、「ちゃん」である宛先画像データを第３グループに分類してもよい。このように、抽出する位置及び文字の候補を限定することにより、仮名文字や漢字であってもＯＣＲによる誤認率を低下させることができる。
【００６８】
また、本実施形態によれば、差出人特定情報によって特定される差出人画像が、宛先画像と共に葉書９１〜９３に記録されるので、ユーザの負担をさらに軽減することができる。なお、本実施形態では、差出人画像を葉書９１〜９３の宛名面に記録する例を説明したが、これに限定されず、差出人画像を通信面に記録してもよい。一方、ステップＳ１７、Ｓ２２において差出人画像を記録する必要がない場合は、ステップＳ１１における差出人シート８０の読み取り、及び差出人画像データ解析処理（Ｓ１４）等は省略することができる。
【００６９】
また、宛先画像と共に記録されるのは差出人画像に限定されない。例えば、画像特定情報によって特定される通信面画像が、宛先画像と共に葉書９１〜９３に記録されてもよい。なお、通信面画像を示す通信面画像データの取得先は特に限定されないが、例えば以下の方法が考えられる。一例として、画像処理プログラム３１は、ステップＳ１１において、通信面画像が描かれた通信面画像シートをスキャナ部１２に読み取らせ、通信面画像データを生成させてもよい。そして、情報処理プログラム６１は、通信部５５を通じて複合機１０から通信面画像データを取得してもよい。他の例として、情報処理プログラム６１は、データ記憶領域５８Ｂ或いは通信ネットワーク１０２を介して接続されたサーバ装置に記憶された通信面画像データのうち、画像特定情報によって特定される通信面画像データを取得してもよい。
【００７０】
また、本実施形態では、葉書９１〜９３の宛名面に宛先画像を記録する例を説明したが、これに限定されない。例えば、封筒やクリスマスカード等に宛先画像を記録してもよい。また、宛先画像が記録されるのは、配送物そのものでなくてもよい。例えば、記録紙の一例である宛先ラベルに宛先画像が記録されてもよい。そして、宛先画像が記録された宛先ラベルは、葉書、封筒、小包等の表面にユーザによって貼付されてもよい。但し、本明細書中の配送物は、上述の葉書、封筒、クリスマスカード、或いは小包等の物理的な「物」を指し、通信ネットワーク１０２を通じて送受信されるＥメール等は含まない。
【００７１】
また、情報処理装置５０は、１台の装置であってもよいし、通信ネットワーク１０２を介して接続された複数の装置の集合体であってもよい。そして、図２に示される各処理は、当該複数の装置で分担されてもよい。また、本実施形態では、図２に示される処理が情報処理装置５０の情報処理プログラム６１によって実行された例を説明したが、本発明はこれに限定されない。すなわち、図２に示される処理の一部及び全部は、複合機１０の画像処理プログラム３１によって実行されてもよい。
【００７２】
また、本実施形態では、複合機１０と情報処理装置５０とが直接通信することによって、図２に示される処理を実行する例を説明したが、複合機１０と情報処理装置５０との間に他の装置が介在してもよい。例えば、複合機１０と情報処理装置５０とは、スマートフォン、タブレット端末、或いはＰＣ（Ｐｅｒｓｏｎａｌ  Ｃｏｍｐｕｔｅｒの略）等を介して通信を行ってもよい。スマートフォン、タブレット端末、或いはＰＣは、中継装置或いは外部装置の一例である。なお、「複合機１０と情報処理装置５０とが直接通信する」とは、複合機１０と情報処理装置５０との間に、ゲートウェイサーバ、ルータ、ハブ等のネットワーク機器が介在していることを妨げない。
【００７３】
また、本実施形態では、プリンタ部１１及びスキャナ部１２を備える複合機１０の例を説明したが、これに限定されない。例えば、宛先シート７０及び差出人シート８０に記録された画像を読み取る読取装置と、第１記録指示及び第２記録指示に従って葉書９１〜９３に画像を記録する記録装置とは、互いに独立した別の装置であってもよい。例えば、複合機１０と情報処理装置５０との間にスマートフォンが介在している場合において、スマートフォンに搭載されたカメラで宛先シート７０及び差出人シート８０を撮影することによって、宛先シートデータ及び差出人シートデータが生成されてもよい。そして、当該スマートフォンは、生成した宛先シートデータ及び差出人シートデータを情報処理装置５０に送信すると共に、情報処理装置５０から送信された第１記録指示及び第２記録指示を複合機１０に中継してもよい。
【００７４】
また、情報処理システム１００は、図８に示されるように、複合機１０と情報処理装置５０とに加えて、スマートフォン１０３と、サーバ装置１０４とをさらに備えてもよい。なお、図８には図示を省略するが、複合機１０、情報処理装置５０、スマートフォン１０３、及びサーバ装置１０４は、通信ネットワーク１０２を通じて相互に接続される。また、サーバ装置１０４の具体例は特に限定されないが、例えば、「Ｇｏｏｇｌｅ（登録商標）  Ｃｌｏｕｄ  Ｐｌａｔｆｏｒｍ」等の公知のサービスを利用することができる。
【００７５】
上記構成の情報処理システム１００において、情報処理装置５０は、宛先シートデータ及び差出人シートデータを、通信部５５を通じてスマートフォン１０３から取得する。次に、情報処理装置５０は、ステップＳ１３〜Ｓ１５の処理を実行する。そして、情報処理装置５０は、第１記録指示及び第２記録指示の順に、各記録指示を通信部５５を通じてサーバ装置１０４に出力する。なお、情報処理装置５０は、複合機１０を識別する識別子を、宛先シートデータ及び差出人シートデータと共にスマートフォンから取得し、記録指示に含めてサーバ装置１０４に出力する。サーバ装置１０４は、情報処理システム１００から取得した記録指示を記憶部に記憶させる。
【００７６】
一方、複合機１０は、当該複合機１０の識別子を含む記録指示が記憶部に記憶されているか否かを、通信部２５を通じてサーバ装置１０４に、所定の時間間隔で繰り返し問い合わせる。そして、複合機１０は、自装置の識別子を含む記録指示がサーバ装置１０４の記憶部に記憶されていたことに応じて、通信部２５を通じてサーバ装置１０４から当該記録指示を取得し、プリント処理を実行する。上記構成によっても、複数の宛先画像を所定の順序で葉書に記録することができる。
【００７７】
また、各実施形態の複合機１０及び情報処理装置５０において、記憶部２８、５８のプログラム記憶領域２８Ａ、５８Ａに記憶された各種プログラムがＣＰＵ２７、５７によって実行されることによって、本発明の制御部が実行する各処理が実現される例を説明した。しかしながら、制御部の構成はこれに限定されず、その一部又は全部を集積回路（ＩＣ（Ｉｎｔｅｇｒａｔｅｄ  Ｃｉｒｃｕｉｔの略）とも言う。）等のハードウェアで実現してもよい。
【００７８】
さらに、本発明は、複合機１０或いは情報処理装置５０として実現できるだけでなく、複合機１０或いは情報処理装置５０に処理を実行させるプログラムとして実現してもよい。そして、当該プログラムは、ｎｏｎ−ｔｒａｎｓｉｔｏｒｙな記録媒体に記録されて提供されてもよい。ｎｏｎ−ｔｒａｎｓｉｔｏｒｙな記録媒体は、ＣＤ−ＲＯＭ、ＤＶＤ−ＲＯＭ等の他、通信ネットワーク１０２を介して複合機１０或いは情報処理装置５０に接続可能なサーバ装置に搭載された記憶部を含んでもよい。そして、サーバ装置の記憶部に記憶されたプログラムは、当該プログラムを示す情報或いは信号として、インターネット等の通信ネットワーク１０２を介して配信されてもよい。
【符号の説明】
【００７９】
１０・・・複合機
１２・・・スキャナ部
２３，５３・・・表示部
２４，５４・・・操作部
２５，５５・・・通信部
２７，５７・・・ＣＰＵ
２８，５８・・・記憶部
３１・・・画像処理プログラム
５０・・・情報処理装置
６１・・・情報処理プログラム
【図１】
2015126494.tif 000003
【図２】
2015126494.tif 000004
【図３】
2015126494.tif 000005
【図４】
2015126494.tif 000006
【図５】
2015126494.tif 000007
【図６】
2015126494.tif 000008
【図７】
2015126494.tif 000009
【図８】
2015126494.tif 000010